(57)【特許請求の範囲】
【請求項１】
チャンネル状態情報ＣＳＩの送信方法であって、
ＣＳＩがＣＳＩトリガー条件を満たすと、端末機器がネットワーク機器に前記ＣＳＩの伝送に用いられる伝送リソースを割り当てるようにリクエストするリソースリクエストメッセージを前記ネットワーク機器に送信することと、
前記端末機器が前記ネットワーク機器から前記伝送リソースの配置に用いられるリソース配置メッセージを受信することと、
前記端末機器が前記伝送リソースによって前記ネットワーク機器に前記ＣＳＩを送信することと、
を含み、
ＣＳＩがＣＳＩトリガー条件を満たすと、前記端末機器がリソースリクエストメッセージをネットワーク機器に送信することは、
第１のＣＳＩと第２のＣＳＩの差値が第１の閾値を満たすとともに、前記第２のＣＳＩが第２の閾値を満たすと、前記端末機器が前記リソースリクエストメッセージを前記ネットワーク機器に送信することを含み、前記第１のＣＳＩが前記端末機器の位置するセルの隣接セルの干渉信号のＣＳＩであり、前記第２のＣＳＩが前記端末機器の位置するセルの信号のＣＳＩであり、前記第１の閾値は、前記隣接セルの干渉信号の強度と前記端末機器の位置するセルの信号の強度が近いことを示すための閾値であり、前記第２の閾値は前記端末機器の位置するセルのチャンネル状態が悪いことを示すための閾値であり、
前記端末機器が前記伝送リソースによって前記ネットワーク機器に前記ＣＳＩを送信することは、
前記端末機器が前記伝送リソースによって前記ネットワーク機器に前記第１のＣＳＩ及び前記第２のＣＳＩを送信することを含む
ことを特徴とするチャンネル状態情報の送信方法。
【請求項２】
前記端末機器が前記リソースリクエストメッセージを送信する前に、前記方法は、さらに、
前記端末機器が前記ネットワーク機器からＣＳＩトリガー条件メッセージを受信することと、
前記端末機器が前記ＣＳＩトリガー条件メッセージによって前記ＣＳＩトリガー条件を確定することと、
を含むことを特徴とする請求項１に記載の方法。
【請求項３】
前記リソースリクエストメッセージは、前記ネットワーク機器が前記ＣＳＩの数及び各前記ＣＳＩのサイズによって前記伝送リソースを配置するように、前記ＣＳＩの数及び各前記ＣＳＩのサイズを含むことを特徴とする請求項１又は２に記載の方法。
【請求項４】
チャンネル状態情報ＣＳＩの受信方法であって、
ネットワーク機器が端末機器から、前記ネットワーク機器にＣＳＩの伝送に用いられる伝送リソースを割り当てるようにリクエストするリソースリクエストメッセージを受信することと、
前記ネットワーク機器が前記端末機器に前記伝送リソースの配置に用いられるリソース配置メッセージを送信することと、
前記ネットワーク機器が前記端末機器から前記伝送リソースによって送信された前記ＣＳＩを受信することと、
を含み、
前記ネットワーク機器が前記リソースリクエストメッセージを受信する前に、前記方法は、さらに、
前記ネットワーク機器が、前記端末機器がＣＳＩを送信するトリガー条件を確定することに用いられるＣＳＩトリガー条件メッセージを、前記端末機器に送信することを含み、
前記ＣＳＩトリガー条件メッセージは、前記端末機器に、第１のＣＳＩと第２のＣＳＩの差値が第１の閾値を満たすとともに、前記第２のＣＳＩが第２の閾値を満たすと、前記リソースリクエストメッセージを前記ネットワーク機器に送信するように指示することに用いられ、前記第１のＣＳＩが前記端末機器の位置するセルの隣接セルの干渉信号のＣＳＩであり、前記第２のＣＳＩが前記端末機器の位置するセルの信号のＣＳＩであり、前記第１の閾値は、前記隣接セルの干渉信号の強度と前記端末機器の位置するセルの信号の強度が近いことを示すための閾値であり、前記第２の閾値は前記端末機器の位置するセルのチャンネル状態が悪いことを示すための閾値であり、
前記ネットワーク機器が前記端末機器から前記伝送リソースによって送信された前記ＣＳＩを受信することは、
前記ネットワーク機器が前記端末機器から前記伝送リソースによって送信された前記第１のＣＳＩ及び前記第２のＣＳＩを受信することを含む
ことを特徴とするチャンネル状態情報の受信方法。
【請求項５】
前記リソースリクエストメッセージは、前記ＣＳＩの数及び各前記ＣＳＩのサイズを含み、
前記方法はさらに、前記ネットワーク機器が前記ＣＳＩの数及び各前記ＣＳＩのサイズによって前記伝送リソースを配置することを含む
ことを特徴とする請求項４に記載の方法。
【請求項６】
端末機器であって、
処理ユニットと、通信ユニットとを含み、
前記処理ユニットは、
チャンネル状態情報ＣＳＩがＣＳＩトリガー条件を満たすと、前記通信ユニットを介してネットワーク機器に前記ＣＳＩの伝送に用いられる伝送リソースを割り当てるようにリクエストするリソースリクエストメッセージを前記ネットワーク機器に送信することと、前記通信ユニットを介して前記ネットワーク機器から前記伝送リソースの配置に用いられるリソース配置メッセージを受信することと、前記伝送リソースによって前記通信ユニットを介して前記ネットワーク機器に前記ＣＳＩを送信することと、に用いられ、
前記処理ユニットは具体的に、
第１のＣＳＩと第２のＣＳＩの差値が第１の閾値を満たすとともに、前記第２のＣＳＩが第２の閾値を満たすと、前記通信ユニットを介して前記リソースリクエストメッセージを前記ネットワーク機器に送信し、前記第１のＣＳＩが前記端末機器の位置するセルの隣接セルの干渉信号のＣＳＩであり、前記第２のＣＳＩが前記端末機器の位置するセルの信号のＣＳＩであり、前記第１の閾値は、前記隣接セルの干渉信号の強度と前記端末機器の位置するセルの信号の強度が近いことを示すための閾値であり、前記第２の閾値は前記端末機器の位置するセルのチャンネル状態が悪いことを示すための閾値であることと、
前記伝送リソースによって前記通信ユニットを介して前記ネットワーク機器に前記第１のＣＳＩ及び前記第２のＣＳＩを送信することと、に用いられる
ことを特徴とする端末機器。
【請求項７】
前記処理ユニットはさらに、
前記通信ユニットを介して前記ネットワーク機器からＣＳＩトリガー条件メッセージを受信することと、
前記ＣＳＩトリガー条件メッセージによって前記ＣＳＩトリガー条件を確定することと、
に用いられることを特徴とする請求項６に記載の端末機器。
【請求項８】
前記リソースリクエストメッセージは、前記ネットワーク機器が前記ＣＳＩの数及び各前記ＣＳＩのサイズによって前記伝送リソースを配置するように、前記ＣＳＩの数及び各前記ＣＳＩのサイズを含むことを特徴とする請求項６又は７に記載の端末機器。
【請求項９】
ネットワーク機器であって、
処理ユニットと、通信ユニットとを含み、
前記処理ユニットは、前記通信ユニットを介して、端末機器から、前記ネットワーク機器にチャンネル状態情報ＣＳＩの伝送に用いられる伝送リソースを割り当てるようにリクエストするリソースリクエストメッセージを受信することと、前記通信ユニットを介して前記端末機器に前記伝送リソースの配置に用いられるリソース配置メッセージを送信することと、前記通信ユニットを介して前記端末機器から前記伝送リソースによって送信された前記ＣＳＩを受信することと、に用いられ、
前記処理ユニットはさらに、
前記通信ユニットを介して前記端末機器に、前記端末機器がＣＳＩを送信するトリガー条件を確定するためのＣＳＩトリガー条件メッセージを送信することに用いられ、
前記ＣＳＩトリガー条件メッセージは、前記端末機器に、第１のＣＳＩと第２のＣＳＩの差値が第１の閾値を満たすとともに、前記第２のＣＳＩが第２の閾値を満たすと、前記リソースリクエストメッセージを前記ネットワーク機器に送信するように指示することに用いられ、前記第１のＣＳＩが前記端末機器の位置するセルの隣接セルの干渉信号のＣＳＩであり、前記第２のＣＳＩが前記端末機器の位置するセルの信号のＣＳＩであり、前記第１の閾値は、前記隣接セルの干渉信号の強度と前記端末機器の位置するセルの信号の強度が近いことを示すための閾値であり、前記第２の閾値は前記端末機器の位置するセルのチャンネル状態が悪いことを示すための閾値であり、
前記処理ユニットは具体的に、前記通信ユニットを介して前記端末機器から前記伝送リソースによって送信された前記第１のＣＳＩ及び前記第２のＣＳＩを受信することに用いられる
ことを特徴とするネットワーク機器。
【請求項１０】
前記リソースリクエストメッセージは、前記ＣＳＩの数及び各前記ＣＳＩのサイズを含み、
前記処理ユニットはさらに、前記ＣＳＩの数及び各前記ＣＳＩのサイズによって前記伝送リソースを配置することに用いられる
ことを特徴とする請求項９に記載のネットワーク機器。
【請求項１１】
端末機器であって、
プロセッサと、命令を格納するメモリとを含み、
前記プロセッサは、前記命令を実行するときに、請求項１〜３のいずれか１項に記載の方法を実行するように構成される
ことを特徴とする端末機器。
【請求項１２】
ネットワーク機器であって、
プロセッサと、命令を格納するメモリとを含み、
前記プロセッサは、前記命令を実行するときに、請求項４又は５に記載の方法を実行するように構成される
ことを特徴とするネットワーク機器。
【請求項１３】
コンピュータ記憶媒体であって、前記コンピュータ記憶媒体には、コンピュータで実行されるとき、前記コンピュータに請求項１〜３のいずれか１項に記載の方法を実行させる命令が記憶されるコンピュータ記憶媒体。
【請求項１４】
コンピュータ記憶媒体であって、前記コンピュータ記憶媒体には、コンピュータで実行されるとき、前記コンピュータに請求項４又は５に記載の方法を実行させる命令が記憶されるコンピュータ記憶媒体。
【発明の詳細な説明】
【技術分野】
【０００１】
本発明は、通信分野に関し、詳しく言えば、チャンネル状態情報（Ｃｈａｎｎｅｌ  Ｓｔａｔｅ  Ｉｎｆｏｒｍａｔｉｏｎ、ＣＳＩ）の送受信方法及び機器に関する。
【背景技術】
【０００２】
無線通信ネットワークの中で、チャンネル伝送特性などの影響を取り除くために、ユーザー機器（Ｕｓｅｒ  Ｅｑｕｉｐｍｅｎｔ、ＵＥ）はデータの復調時にチャンネル推定を行う必要がある。例えば、ロング・ターム・エヴォリューション（Ｌｏｎｇ  Ｔｅｒｍ  Ｅｖｏｌｕｔｉｏｎ、ＬＴＥ）システムでは、ＵＥは基地局より伝えられたチャンネル状態情報参考信号（Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）を利用してチャンネル推定を行うことができ、そしてチャンネル推定の結果（例えばＣＳＩ）を基地局に送信し、それによって基地局が下リンク情報を送信する適切なチャンネルを選ぶことができる。
【０００３】
現在、ＵＥは周期的や非周期的に基地局にＣＳＩをレポートするが、基地局は事前にＵＥのＣＳＩレポートに伝送リソースを分配したり、ＵＥにＣＳＩのレポートを触発すると同時にＵＥにＣＳＩレポートの伝送リソースを分配したりする。しかし、大量のアンテナポート及び対応するＣＳＩ任務の存在で、周期的や非周期的なＣＳＩの送受信は大量の伝送リソースを占めているので、どのようにさらに効果的に現在の伝送リソースを利用してＣＳＩを伝送するかは、現在早急に解決する必要がある問題である。
【発明の概要】
【発明が解決しようとする課題】
【０００４】
これに鑑みて、本発明の実施例はＣＳＩの送受信方法及び機器を提供するが、端末機器はＣＳＩがＣＳＩを送信するトリガー条件を満たすか否かによってＣＳＩを送信するか否かを確定し、そしてＣＳＩの送信を確定した後にネットワーク機器にＣＳＩを送信する伝送リソースを申請し、それによってＣＳＩの送信に占められる伝送リソースを減らすことができる。
【課題を解決するための手段】
【０００５】
一態様によれば、本発明の実施例にて提供されるＣＳＩの送信方法は、ＣＳＩがＣＳＩトリガー条件を満たすと、端末機器がネットワーク機器に前記ＣＳＩの伝送に用いられる伝送リソースを割り当てるようにリクエストするリソースリクエストメッセージを前記ネットワーク機器に送信することと、前記端末機器が前記ネットワーク機器から前記伝送リソースの配置に用いられるリソース配置メッセージを受信することと、前記端末機器が前記伝送リソースによって前記ネットワーク機器に前記ＣＳＩを送信することとを含むか、或いは、前記ＣＳＩが前記ＣＳＩトリガー条件を満たさないことによって、前記端末機器が前記ＣＳＩを送信しないことを確定することを含む。
【０００６】
本発明の実施例に係るＣＳＩの送信方法によれば、ＣＳＩがＣＳＩを送信するトリガー条件を満たすか否かによって、端末機器がＣＳＩを送信するか否かを確定し、そしてＣＳＩの送信を確定した後にネットワーク機器にＣＳＩを送信する伝送リソースを申請し、それによってＣＳＩの送信に占められる伝送リソースを減らし、またＣＳＩ送信の柔軟性を高めることができる。
【０００７】
一実施例において、前記端末機器が前記リソースリクエストメッセージを送信する前に、前記方法はさらに、前記端末機器が前記ネットワーク機器からＣＳＩトリガー条件メッセージを受信することと、前記端末機器が前記ＣＳＩトリガー条件メッセージによって前記ＣＳＩトリガー条件を確定することとを含む。
【０００８】
端末機器がネットワーク機器から送信されたＣＳＩトリガー条件メッセージを受信してＣＳＩトリガー条件を確定できるので、異なる応用シーンに柔軟に適用することができる。
【０００９】
一実施例において、ＣＳＩがＣＳＩトリガー条件を満たすと、前記端末機器がリソースリクエストメッセージをネットワーク機器に送信することは、前記ＣＳＩの値が閾値を満たすと、前記端末機器が前記リソースリクエストメッセージを前記ネットワーク機器に送信することを含む。
【００１０】
本発明の実施例に係るＣＳＩの送信方法によれば、ＣＳＩの値がＣＳＩを送信する閾値を満たすか否かによって、端末機器がネットワーク機器にＣＳＩを送信する伝送リソースを申請することを確定し、それによってＣＳＩの送信に占められる伝送リソースを減らし、またＣＳＩ送信の柔軟性を高めることができる。
【００１１】
一実施例において、ＣＳＩがＣＳＩトリガー条件を満たすと、前記端末機器がリソースリクエストメッセージをネットワーク機器に送信することは、第１のＣＳＩと第２のＣＳＩの差値が第１の閾値を満たすと、前記端末機器が前記リソースリクエストメッセージを前記ネットワーク機器に送信することを含み、ここで、前記第１のＣＳＩと前記第２のＣＳＩが異なる信号のＣＳＩであり、前記端末機器が前記伝送リソースによって前記ネットワーク機器に前記ＣＳＩを送信することは、前記端末機器が前記伝送リソースによって前記ネットワーク機器に前記第１のＣＳＩ及び前記第２のＣＳＩを送信することを含む。
【００１２】
一実施例において、前記第１のＣＳＩは、前記端末機器が位置するセルに隣接するセルの信号のＣＳＩであり、前記第２のＣＳＩは、前記端末機器が位置するセルの信号のＣＳＩである。
【００１３】
本発明の実施例に係るＣＳＩの送信方法によれば、第１のＣＳＩと第２のＣＳＩの差値が閾値を満たすと、端末機器がネットワーク機器に第１のＣＳＩ及び第２のＣＳＩを送信する伝送リソースを申請することを確定し、それによってＣＳＩの送信に占められる伝送リソースを減らし、またＣＳＩ送信の柔軟性を高めることができる。
【００１４】
一実施例において、ＣＳＩがＣＳＩトリガー条件を満たすと、前記端末機器がリソースリクエストメッセージをネットワーク機器に送信することは、第１のＣＳＩと第２のＣＳＩの差値が第１の閾値を満たしたこと及び前記第１のＣＳＩや前記第２のＣＳＩが第２の閾値を満たすと、前記端末機器が前記リソースリクエストメッセージを前記ネットワーク機器に送信することを含み、ここで、前記第１のＣＳＩと前記第２のＣＳＩが異なる信号のＣＳＩであり、前記端末機器が前記伝送リソースによって前記ネットワーク機器に前記ＣＳＩを送信することは、前記端末機器が前記伝送リソースによって前記ネットワーク機器に前記第１のＣＳＩ及び前記第２のＣＳＩを送信することを含む。
【００１５】
本発明の実施例に係るＣＳＩの送信方法によれば、第１のＣＳＩと第２のＣＳＩの差値が第１の閾値を満たしたこと及び第１のＣＳＩや第２のＣＳＩが第２の閾値を満たすと、端末機器がネットワーク機器に第１のＣＳＩ及び第２のＣＳＩを送信する伝送リソースを申請することを確定し、それによってＣＳＩの送信に占められる伝送リソースを減らし、またＣＳＩ送信の柔軟性を高めることができる。
【００１６】
一実施例において、前記ネットワーク機器が前記ＣＳＩの数及び各前記ＣＳＩのサイズによって前記伝送リソースを配置するように、前記リソースリクエストメッセージに前記ＣＳＩの数及び各前記ＣＳＩのサイズを含む。それによって端末機器が適切な伝送リソースによってＣＳＩを送信して、伝送リソースの浪費を避けることができる。
【００１７】
別の態様によれば、本発明の実施例にて提供されるチャンネル状態情報の受信方法は、ネットワーク機器が端末機器から、前記ネットワーク機器にＣＳＩの伝送に用いられる伝送リソースを割り当てるようにリクエストするリソースリクエストメッセージを受信することと、前記ネットワーク機器が前記端末機器に前記伝送リソースの配置に用いられるリソース配置メッセージを送信することと、前記ネットワーク機器が前記端末機器から前記伝送リソースによって送信された前記ＣＳＩを受信することとを含む。
【００１８】
本発明の実施例に係るＣＳＩの受信方法によれば、ネットワーク機器が端末機器から送信されたリソースリクエストメッセージによって端末機器にＣＳＩの伝送に用いられる伝送リソースを分配し、伝送リソースを予め設定する必要がないので、ＣＳＩ伝送の柔軟性を高める。
【００１９】
一実施例において、前記ネットワーク機器が前記リソースリクエストメッセージを受信する前に、前記方法はさらに、前記ネットワーク機器が、前記端末機器がＣＳＩを送信するトリガー条件を確定することに用いられるＣＳＩトリガー条件メッセージを、前記端末機器に送信することを含む。
【００２０】
本発明の実施例にて提供されるＣＳＩの受信方法によれば、ネットワーク機器が端末機器にＣＳＩトリガー条件メッセージを送信することによって、端末機器に現在ＣＳＩを送信するトリガー条件を指示し、それによって異なる応用シーンによって端末機器がＣＳＩを送信するトリガー条件を柔軟に確定することができる。
【００２１】
一実施例において、前記ＣＳＩトリガー条件メッセージは、前記端末機器に、ＣＳＩの値が閾値を満たすと、前記リソースリクエストメッセージを前記ネットワーク機器に送信するように指示することに用いられる。
【００２２】
本発明の実施例に係るＣＳＩの受信方法によれば、ネットワーク機器がＣＳＩトリガー条件メッセージによって端末機器にＣＳＩを送信するトリガー条件を指示し、それによって異なる応用シーンによって端末機器がＣＳＩを送信するトリガー条件を柔軟に確定することができる。
【００２３】
一実施例において、前記ＣＳＩトリガー条件メッセージは、前記端末機器に、第１のＣＳＩと第２のＣＳＩの差値が第１の閾値を満たすと、前記リソースリクエストメッセージを前記ネットワーク機器に送信するように指示することに用いられ、ここで、前記第１のＣＳＩと前記第２のＣＳＩが異なる信号のＣＳＩであり、前記ネットワーク機器が前記端末機器から前記伝送リソースによって送信された前記ＣＳＩを受信することは、前記ネットワーク機器が前記端末機器から前記伝送リソースによって送信された前記第１のＣＳＩ及び前記第２のＣＳＩを受信することを含む。
【００２４】
一実施例において、前記第１のＣＳＩは、前記端末機器が位置するセルに隣接するセルの信号のＣＳＩであり、前記第２のＣＳＩは、前記端末機器が位置するセルの信号のＣＳＩである。
【００２５】
本発明の実施例に係るＣＳＩの受信方法によれば、ネットワーク機器が端末機器に、第１のＣＳＩと第２のＣＳＩの差値が閾値を満たすと、ネットワーク機器に伝送リソースを申請するように指示し、それによってＣＳＩの送信に占められる伝送リソースを減らし、またＣＳＩ送信の柔軟性を高めることができる。
【００２６】
一実施例において、前記ＣＳＩトリガー条件メッセージはさらに、前記端末機器に、第１のＣＳＩと第２のＣＳＩの差値が第１の閾値を満たしたこと及び前記第１のＣＳＩや前記第２のＣＳＩが第２の閾値を満たすと、前記リソースリクエストメッセージを前記ネットワーク機器に送信するように指示することに用いられ、ここで、前記第１のＣＳＩと前記第２のＣＳＩが異なる信号のＣＳＩである。
【００２７】
本発明の実施例に係るＣＳＩの受信方法によれば、ネットワーク機器が端末機器に、第１のＣＳＩと第２のＣＳＩの差値が閾値を満たしたこと及び第１のＣＳＩや第２のＣＳＩが第２の閾値を満たすと、ネットワーク機器に伝送リソースを申請するように指示し、それによってＣＳＩの送信に占められる伝送リソースを減らし、またＣＳＩ送信の柔軟性を高めることができる。
【００２８】
一実施例において、前記リソースリクエストメッセージに前記ＣＳＩの数及び各前記ＣＳＩのサイズを含み、前記方法にさらに、前記ネットワーク機器が前記ＣＳＩの数及び各前記ＣＳＩのサイズによって前記伝送リソースを配置することを含む。それによって端末機器が適切な伝送リソースによってＣＳＩを送信して、伝送リソースの浪費を避けることができる。
【００２９】
さらなる別の態様によれば、本発明の実施例にて提供される端末機器は、上記の態様に係る方法において端末機器が実行する機能を実現することができるが、前記機能は、ハードウェアによって実現されてもよく、ハードウェアを用いて対応するソフトウェアを実行することによって実現されてもよい。前記ハードウェア又はソフトウェアは１つ又は多数の上記機能に対応するユニット又はモジュールを含む。
【００３０】
可能な設計では、該端末機器の構造に、該端末機器が上記方法における対応する機能を実行することをサポートするように配置されているプロセッサと、該端末機器とその他のネットワーク要素との通信をサポートする送受信器とを含む。該端末機器はさらに、プロセッサとカップリングして、該端末機器に必要なプログラム指令及びデータを記憶するメモリを含むことができる。
【００３１】
さらなる別の態様によれば、本発明の実施例にて提供されるネットワーク機器は、上記の態様に係る方法においてネットワーク機器が実行する機能を実現することができるが、前記機能は、ハードウェアによって実現されてもよく、ハードウェアを用いて対応するソフトウェアを実行することによって実現されてもよい。前記ハードウェア又はソフトウェアは１つ又は多数の上記機能に対応するユニット又はモジュールを含む。
【００３２】
可能な設計では、該ネットワーク機器の構造に、該ネットワーク機器が上記方法における対応する機能を実行することをサポートするように配置されているプロセッサと、該ネットワーク機器とその他の機器との通信をサポートする送受信器とを含む。該ネットワーク機器はさらに、プロセッサとカップリングして、該ネットワーク機器に必要なプログラム指令及びデータを記憶するメモリを含むことができる。
【００３３】
さらなる別の態様によれば、本発明の実施例にて提供される通信システムは、上記の態様に係る端末機器と、ネットワーク機器とを含む。
【００３４】
さらなる別の態様によれば、本発明の実施例にて提供されるコンピュータ記憶媒体は、上記の態様を実行するためのプログラムを含む上記端末機器に使用されるコンピュータソフトウェア指令を記憶する。
【００３５】
さらなる別の態様によれば、本発明の実施例にて提供されるコンピュータ記憶媒体は、上記の態様を実行するためのプログラムを含む上記ネットワーク機器に使用されるコンピュータソフトウェア指令を記憶する。
【図面の簡単な説明】
【００３６】
本発明の実施例の技術的解決手段についてより明確に説明するために、以下、本発明の実施例の記述に対して必要な図面を用いて簡潔に説明を行うが、当然ながら、以下に記載する図面は本発明の実施例の一部にすぎず、当業者であれば、創造的な労力を要することなく、これらの図面に基づき他の図面を想到し得る。
【図１】本発明の実施例に係るＣＳＩの送受信に適用する通信システムの説明骨組図である。
【図２】本発明の実施例に係るＣＳＩの送信方法の概略フローチャートである。
【図３】本発明の実施例に係るＣＳＩの受信方法の概略フローチャートである。
【図４Ａ】本発明の実施例に係る可能な端末機器の構造説明図である。
【図４Ｂ】本発明の実施例に係る別の可能な端末機器の構造説明図である。
【図５Ａ】本発明の実施例に係る可能なネットワーク機器の構造説明図である。
【図５Ｂ】本発明の実施例に係る別の可能なネットワーク機器の構造説明図である。
【発明を実施するための形態】
【００３７】
以下、本発明の実施例の図面を参照しながら、本発明の実施例の技術的解決手段について明確で、完全に説明するが、当然ながら、記載する実施例は本発明の一部の実施例にすぎず、全ての実施例ではない。本発明の実施例に基づき、当業者が創造的な労力を要さずに想到し得る他の実施例は、いずれも本発明の技術的範囲に属する。
【００３８】
なお、本発明の技術的解決手段は、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）及び未来の５Ｇ通信システムなど、各種の通信システムに応用できる。
【００３９】
なお、本発明の実施例では、端末機器は、無線アクセスネットワーク（Ｒａｄｉｏ  Ａｃｃｅｓｓ  Ｎｅｔｗｏｒｋ、ＲＡＮ）を経由して１つ又は多数のコアネットワークと通信することができ、該端末機器は、接続端末、ユーザー機器、ユーザーユニット、ユーザーステーション、モバイルステーション、移動基地局、遠隔局、遠隔端末、モバイル機器、ユーザー端末、端末、無線通信機器、ユーザー代行機器又はユーザー装置と呼ばれてもよい。接続端末は、セル方式携帯電話、コードレスホン、セッション確立プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を持つハンドヘルドデバイス、計算設備又は無線モデムに接続するその他の処理機器、車載機器、ウェアラブルデバイス及び未来の５Ｇネットワークの端末機器でもよい。
【００４０】
本発明の実施例では、ネットワーク機器は、端末機器と通信することができ、該ネットワーク機器は、ＧＳＭ又はＣＤＭＡの基地局（Ｂａｓｅ  Ｔｒａｎｓｃｅｉｖｅｒ  Ｓｔａｔｉｏｎ、ＢＴＳ）でもよく、ＷＣＤＭＡの基地局（ＮｏｄｅＢ、ＮＢ）でもよく、ＬＴＥの進化型基地局（Ｅｖｏｌｕｔｉｏｎａｌ  ＮｏｄｅＢ、ｅＮＢ又はｅ−ＮｏｄｅＢと略称）でもよく、或いは、該ネットワーク機器は、中継局、アクセスポイント、車載機器、ウェアラブルデバイス及び未来の５Ｇネットワークの基地局機器などでもよいが、本発明の実施例はこれに限定されない。
【００４１】
図１に本発明の実施例に係るＣＳＩの送受信に適用する通信システム１００の説明骨組図を示す。図１に示すように、該通信システム１００は、１つ又は多数のアンテナグループを含むネットワーク機器１０２を含み、各アンテナグループに１つ又は多数のアンテナを含む。例えば、１つのアンテナグループにアンテナ１０４及び１０６を含み、別のアンテナグループにアンテナ１０８及び１１０を含み、付加グループにアンテナ１１２及び１１４を含む。図１に各アンテナグループについて２つのアンテナを示しているが、各アンテナグループにこれ以上或いはこれ以下のアンテナを備えてもよいことを理解すべきである。ネットワーク機器１０２は、付加部品として送信器チェーン及び受信器チェーンを含むことができるが、当業者であれば、それらにいずれも信号の送受信に関する多数の部品（例えば、プロセッサ、変調器、マルチプレクサ、復調器、デマルチプレクサ又はアンテナなど）を含むことができることを理解すべきである。
【００４２】
ネットワーク機器１０２は、多数の端末機器（例えば端末機器１１６及び端末機器１２２）と通信することができる。端末機器１１６は、アンテナ１１２及び１１４と通信するが、ここで、アンテナ１１２及び１１４がフォワードリンク１１８を経由して端末機器１１６に情報を送信し、そしてリバースリンク１２０を経由して端末機器１１６から情報を受信する。また、端末機器１２２は、アンテナ１０４及び１０６と通信するが、ここで、アンテナ１０４及び１０６がフォワードリンク１２４を経由して端末機器１２２に情報を送信し、そしてリバースリンク１２６を経由して端末機器１２２から情報を受信する。
【００４３】
例えば、周波数分割複信システムの中で、フォワードリンク１１８は、リバースリンク１２０と違う周波帯を利用し、フォワードリンク１２４は、リバースリンク１２６と違う周波帯を利用することができるが、さらに例えば、時分割複信システム及び全二重通信（Ｆｕｌｌ  Ｄｕｐｌｅｘ）システムの中で、フォワードリンク１１８及びリバースリンク１２０は、共通の周波帯を使い、フォワードリンク１２４及びリバースリンク１２６は、共通の周波帯を使うことができる。
【００４４】
所定の時間に、ネットワーク機器１０２、端末機器１１６又は端末機器１２２は、無線通信送信装置及び／又は無線通信受信装置でもよい。データを送信する時に、無線通信送信装置は、伝送するようにデータに対してエンコードすることができる。具体的に、無線通信送信装置は、（例えば、生成、その他の通信装置からの受信、又はメモリでの記憶などで）チャンネルを経由して無線通信受信装置に送信する一定の数のデータビットを取得することができる。このようなデータビットは、データの伝送ブロック（又は多数の伝送ブロック）に含まれているが、伝送ブロックは、多数のブロックを生成するように分割されてもよい。
【００４５】
以下、図面を参照しながら本発明の実施例にて提供されるＣＳＩの送受信方法及び機器について詳しく説明する。
【００４６】
図２に本発明の実施例に係るＣＳＩの送信方法２００の概略フローチャートを示し、図２に示すように、該方法２００は、
チャンネル状態情報ＣＳＩがＣＳＩトリガー条件を満たすと、端末機器がネットワーク機器に前記ＣＳＩの伝送に用いられる伝送リソースを割り当てるようにリクエストするリソースリクエストメッセージを前記ネットワーク機器に送信するＳ２１０と、
前記端末機器が前記ネットワーク機器から前記伝送リソースの配置に用いられるリソース配置メッセージを受信するＳ２２０と、
前記端末機器が前記伝送リソースによって前記ネットワーク機器に前記ＣＳＩを送信するＳ２３０とを含む。
【００４７】
或いは、方法２００は、
前記ＣＳＩが前記ＣＳＩトリガー条件を満たさないことによって、前記端末機器が前記ＣＳＩを送信しないことを確定するＳ２４０を含む。
【００４８】
Ｓ２１０では、端末機器は、該端末機器にプリセットされたＣＳＩトリガー条件によって現在のＣＳＩを送信する必要があるか否かを確定でき、例えば、ＣＳＩが信号雑音比（Ｓｉｇｎａｌ−ｔｏ−Ｎｏｉｓｅ  Ｒａｔｉｏ、ＳＮＲ）の場合、該ＣＳＩトリガー条件として、ＳＮＲの値が２０デシベル（ｄＢ）以上の場合にＳＮＲ情報を送信せず、ＳＮＲの値が２０ｄＢ未満の場合にネットワーク機器にＳＮＲ情報を送信する。ここで、ＳＮＲの値が２０ｄＢ以上の場合、現在の端末機器が受ける干渉が小さく、チャンネルの品質が高く、ＳＮＲをレポートする必要がないことを示し、ＳＮＲの値が２０ｄＢ未満の場合、現在の端末機器が受ける干渉が大きく、チャンネルの品質が低く、ネットワーク機器が発射のパワーを増大したりその他の発射方式を取ってＳＮＲを増大したりするように、端末機器がネットワーク機器にＳＮＲをレポートする必要があることを示し、このように、ＣＳＩの送信数や回数を減らし、それによって伝送リソースを節約することができる。
【００４９】
端末機器は、ＣＳＩトリガー条件によってネットワーク機器にＣＳＩを送信することを確定した場合、ネットワーク機器にＣＳＩを送信する伝送リソースの分配をリクエストすることができる。例えば、端末機器は、物理アップリンク制御チャンネル（Ｐｈｙｓｉｃａｌ  Ｕｐｌｉｎｋ  Ｃｏｎｔｒｏｌ  Ｃｈａｎｎｅｌ、ＰＵＣＣＨ）を経由してネットワーク機器にリソースリクエストメッセージを送信して、ネットワーク機器に伝送リソースの分配をリクエストすることができる。ネットワーク機器は、ダウンリンクシグナリングを経由して端末機器にＰＵＣＣＨリソースを配置することができるが、例えば、ネットワーク機器は、無線リソース制御（Ｒａｄｉｏ  Ｒｅｓｏｕｒｃｅ  Ｃｏｎｔｒｏｌ、ＲＲＣ）シグナリングを経由して端末機器にＰＵＣＣＨリソースを配置することができる。
【００５０】
Ｓ２２０では、端末機器がネットワーク機器からリソース配置メッセージを受信することによって伝送リソースを確定することができるが、例えば、端末機器がネットワーク機器から送信された、物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）にキャリーされているアップリンクグラント（Ｕｐ−ｌｉｎｋ  ｇｒａｎｔ）情報を受信することができる。
【００５１】
Ｓ２３０では、端末機器は、受信したリソース配置メッセージによって伝送リソースを確定し、そして該伝送リソースによってネットワーク機器にＣＳＩを送信し、例えば、リソース配置メッセージにより配置された物理アップリンク共有チャンネル（Ｐｈｙｓｉｃａｌ  Ｕｐｌｉｎｋ  Ｓｈａｒｅｄ  Ｃｈａｎｎｅｌ、ＰＵＳＣＨ）によってネットワーク機器にＣＳＩを送信することができる。
【００５２】
上記の実施例は例示であり、本発明の実施例はこれに限定されない。本発明の実施例に係るＣＳＩの送信方法によれば、ＣＳＩがＣＳＩを送信するトリガー条件を満たすか否かによって、端末機器がＣＳＩを送信するか否かを確定し、そしてＣＳＩの送信を確定した後にネットワーク機器にＣＳＩを送信する伝送リソースを申請し、それによってＣＳＩの送信に占められる伝送リソースを減らし、またＣＳＩ送信の柔軟性を高めることができる。
【００５３】
一実施例において、前記端末機器が前記リソースリクエストメッセージを送信する前に、前記方法はさらに、
前記端末機器が前記ネットワーク機器からＣＳＩトリガー条件メッセージを受信するＳ２０１と、
前記端末機器が前記ＣＳＩトリガー条件メッセージによって前記ＣＳＩトリガー条件を確定するＳ２０２とを含む。
【００５４】
端末機器は、ネットワーク機器から送信されたＣＳＩトリガー条件メッセージによってＣＳＩトリガー条件を確定することができ、例えば、端末機器は、ＣＳＩトリガー条件を確定するように、ネットワーク機器から送信された、ＰＤＣＣＨにキャリーされているＣＳＩトリガー条件メッセージを受信することができる。
【００５５】
上記の実施例は例示であり、本発明の実施例はこれに限定されない。例えば、端末機器は、ネットワーク機器から上位のシグナリングを経由して送信されたＣＳＩトリガー条件メッセージを受信することもできる。
【００５６】
そのため、本発明の実施例に係るＣＳＩの送信方法によれば、端末機器がネットワーク機器から送信されたＣＳＩトリガー条件メッセージを受信してＣＳＩトリガー条件を確定できるので、異なる応用シーンに柔軟に適用することができる。
【００５７】
一実施例において、ＣＳＩがＣＳＩトリガー条件を満たすと、前記端末機器がリソースリクエストメッセージをネットワーク機器に送信することは、
前記ＣＳＩの値が閾値を満たすと、前記端末機器が前記リソースリクエストメッセージを前記ネットワーク機器に送信するＳ２１１を含む。
【００５８】
本発明の実施例では、端末機器は、ＣＳＩの値が閾値より大きいことによってリソースリクエストメッセージをネットワーク機器に送信することを確定してもよく、ＣＳＩの値が閾値より小さいことによってリソースリクエストメッセージをネットワーク機器に送信することを確定してもよく、ＣＳＩの値がある数値の区間にあることによってリソースリクエストメッセージをネットワーク機器に送信することを確定してもよく、ＣＳＩの値が閾値に等しいことによってリソースリクエストメッセージをネットワーク機器に送信することを確定してもよい。
【００５９】
上記の実施例は例示であり、本発明の実施例はこれに限定されない。本発明の実施例に係るＣＳＩの送信方法によれば、ＣＳＩの値がＣＳＩを送信する閾値を満たすか否かによって、端末機器がネットワーク機器にＣＳＩを送信する伝送リソースを申請することを確定し、それによってＣＳＩの送信に占められる伝送リソースを減らし、またＣＳＩ送信の柔軟性を高めることができる。
【００６０】
一実施例において、ＣＳＩがＣＳＩトリガー条件を満たすと、前記端末機器がリソースリクエストメッセージをネットワーク機器に送信することは、
第１のＣＳＩと第２のＣＳＩの差値が第１の閾値を満たすと、前記端末機器が前記リソースリクエストメッセージを前記ネットワーク機器に送信するＳ２１２を含み、ここで、前記第１のＣＳＩと前記第２のＣＳＩが異なる信号のＣＳＩであり、
前記端末機器が前記伝送リソースによって前記ネットワーク機器に前記ＣＳＩを送信することは、
前記端末機器が前記伝送リソースによって前記ネットワーク機器に前記第１のＣＳＩ及び前記第２のＣＳＩを送信するＳ２３１を含む。
【００６１】
本発明の実施例では、端末機器は、第１のＣＳＩと第２のＣＳＩの差値が閾値を満たすと、リソースリクエストメッセージをネットワーク機器に送信することを確定することができ、例えば、現在の時刻に端末機器が測定した第２のＣＳＩが第１のＣＳＩより大きく、且つ差値が第１の閾値より大きい場合、ネットワーク機器が第１のＣＳＩ及び第２のＣＳＩによって端末機器が受けた干渉状況を判断して、直ちに信号の発射方式を調整するように、端末機器は、第１のＣＳＩ及び第２のＣＳＩをレポートすることを確定する。本発明の実施例では、第１のＣＳＩ及び第２のＣＳＩは、同一のセルの異なるタイプの信号のＣＳＩでもよいが、異なる出所からのＣＳＩ、例えば、該端末機器が位置するセルの信号のＣＳＩ及び該端末機器が位置するセルに隣接するセルの信号のＣＳＩでもよい。
【００６２】
上記の実施例は例示であり、本発明の実施例はこれに限定されない。本発明の実施例に係るＣＳＩの送信方法によれば、第１のＣＳＩと第２のＣＳＩの差値が閾値を満たすと、端末機器がネットワーク機器に第１のＣＳＩ及び第２のＣＳＩを送信する伝送リソースを申請することを確定し、それによってＣＳＩの送信に占められる伝送リソースを減らし、またＣＳＩ送信の柔軟性を高めることができる。
【００６３】
一実施例において、ＣＳＩがＣＳＩトリガー条件を満たすと、前記端末機器がリソースリクエストメッセージをネットワーク機器に送信することは、
第１のＣＳＩと第２のＣＳＩの差値が第１の閾値を満たしたこと及び前記第１のＣＳＩや前記第２のＣＳＩが第２の閾値を満たすと、前記端末機器が前記リソースリクエストメッセージを前記ネットワーク機器に送信するＳ２１３を含み、ここで、前記第１のＣＳＩと前記第２のＣＳＩが異なる信号のＣＳＩであり、
前記端末機器が前記伝送リソースによって前記ネットワーク機器に前記ＣＳＩを送信することは、
前記端末機器が前記伝送リソースによって前記ネットワーク機器に前記第１のＣＳＩ及び前記第２のＣＳＩを送信するＳ２３２を含む。
【００６４】
端末機器は、第２のＣＳＩと第１のＣＳＩの差値が第１の閾値より小さく、且つ第２のＣＳＩが第２の閾値より小さいことによってリソースリクエストメッセージをネットワーク機器に送信することを確定して、端末機器に第１のＣＳＩ及び第２のＣＳＩの送信に用いられる伝送リソースを割り当てるようにネットワーク機器にリクエストすることもでき、ここで、第１のＣＳＩが該端末機器の隣接セルの信号のＣＳＩであり、第２のＣＳＩが該端末機器の位置するセルの信号のＣＳＩであり、第１の閾値及び第２の閾値が同じでもよいが、異なってもよい。ネットワーク機器は、第２のＣＳＩと第１のＣＳＩの差値が第１の閾値より小さいことによって隣接セルの干渉信号の強度と端末機器の位置するセルの信号の強度が非常に近いことを確定し、そして第２のＣＳＩが第２の閾値より小さいことによって端末機器の現在位置するセルのチャンネル状態が悪いことを確定することができ、それによって干渉情況によって信号の発射方式を調整することができる。本発明の実施例では、第１のＣＳＩ及び第２のＣＳＩも同一のセルの異なるタイプの信号のＣＳＩでもよい。
【００６５】
上記の実施例は例示であり、本発明の実施例はこれに限定されない。本発明の実施例に係るＣＳＩの送信方法によれば、第１のＣＳＩと第２のＣＳＩの差値が第１の閾値を満たしたこと及び第１のＣＳＩや第２のＣＳＩが第２の閾値を満たすと、端末機器がネットワーク機器に第１のＣＳＩ及び第２のＣＳＩを送信する伝送リソースを申請することを確定し、それによってＣＳＩの送信に占められる伝送リソースを減らし、またＣＳＩ送信の柔軟性を高めることができる。
【００６６】
一実施例において、前記ネットワーク機器が前記ＣＳＩの数及び各前記ＣＳＩのサイズによって前記伝送リソースを配置するように、前記リソースリクエストメッセージに前記ＣＳＩの数及び各前記ＣＳＩのサイズを含む。
【００６７】
端末機器は、ネットワーク機器にＣＳＩの数及び各ＣＳＩのサイズの情報を送信することができ、該情報は、リソースリクエストメッセージにキャリーされたり、単独で送信されたりすることができる。ネットワーク機器は、送信待ちのＣＳＩの数及び各ＣＳＩのサイズによって端末機器に対応する伝送リソースを配置することができる。それによって端末機器が適切な伝送リソースによってＣＳＩを送信して、伝送リソースの浪費を避けることができる。
【００６８】
以上、端末機器の方から本発明の実施例によるＣＳＩの送信方法を詳しく述べたが、以下、ネットワーク機器の方から本発明の実施例によるＣＳＩの受信方法を述べる。
【００６９】
図３に本発明の別の実施例におけるＣＳＩの受信方法を示し、図３に示すように、該方法３００は、
ネットワーク機器が端末機器から、前記ネットワーク機器にチャンネル状態情報ＣＳＩの伝送に用いられる伝送リソースを割り当てるようにリクエストするリソースリクエストメッセージを受信するＳ３１０と、
前記ネットワーク機器が前記端末機器に前記伝送リソースの配置に用いられるリソース配置メッセージを送信するＳ３２０と、
前記ネットワーク機器が前記端末機器から前記伝送リソースによって送信された前記ＣＳＩを受信するＳ３３０とを含む。
【００７０】
端末機器は、ＣＳＩの送信を確定した後に、該端末機器にＣＳＩの伝送に用いられる伝送リソースを割り当てるようにリクエストするリソースリクエストメッセージをネットワーク機器に送信する。ネットワーク機器は、事前にＲＲＣシグナリングを経由して端末機器に前記リソースリクエストメッセージの伝送に用いられるＰＵＣＣＨリソースを配置しておくことができる。
【００７１】
ネットワーク機器は、該リソースリクエストメッセージを受信した後に端末機器にＣＳＩの伝送に用いられる伝送リソースを分配し、例えば、ネットワーク機器は、ＰＤＣＣＨを経由して端末機器にＣＳＩの伝送に用いられるＰＵＳＣＨリソースを指示するアップリンクグラント情報（即ち、リソース配置メッセージ）を送信する。
【００７２】
それから、ネットワーク機器は、該ＰＵＳＣＨリソースによって端末機器から送信されたＣＳＩを受信し、そしてＣＳＩに反映されたチャンネル状態によって後続の信号発射方式を確定する。
【００７３】
上記の実施例は例示であり、本発明の実施例はこれに限定されない。本発明の実施例に係るＣＳＩの受信方法によれば、ネットワーク機器が端末機器から送信されたリソースリクエストメッセージによって端末機器にＣＳＩの伝送に用いられる伝送リソースを分配し、伝送リソースを予め設定する必要がないので、ＣＳＩ伝送の柔軟性を高める。
【００７４】
一実施例において、前記ネットワーク機器が前記リソースリクエストメッセージを受信する前に、前記方法はさらに、
前記ネットワーク機器が、前記端末機器がＣＳＩを送信するトリガー条件を確定することに用いられるＣＳＩトリガー条件メッセージを、前記端末機器に送信するＳ３０１を含む。
【００７５】
ネットワーク機器は、実際の状況に応じて端末機器がＣＳＩを送信するトリガー条件を確定することができ、例えば、端末機器が信号の強いセルから信号の弱いセルに入る場合、ネットワーク機器は、端末機器にＣＳＩトリガー条件メッセージを送信して、端末機器がＣＳＩを送信する周波数を増大し、それによってネットワーク機器が直ちに端末機器から送信されたＣＳＩによってチャンネル状態を確定して信号発射方式を調整することができる。
【００７６】
上記の実施例は例示であり、本発明の実施例はこれに限定されない。本発明の実施例に係るＣＳＩの受信方法によれば、ネットワーク機器が端末機器にＣＳＩトリガー条件メッセージを送信することによって、端末機器に現在ＣＳＩを送信するトリガー条件を指示し、それによって異なる応用シーンによって端末機器がＣＳＩを送信するトリガー条件を柔軟に確定することができる。
【００７７】
一実施例において、前記ＣＳＩトリガー条件メッセージは、前記端末機器に、ＣＳＩの値が閾値を満たすと、前記リソースリクエストメッセージを前記ネットワーク機器に送信するように指示することに用いられる。
【００７８】
例えば、端末機器は、ＣＳＩの値が閾値より大きいことによってリソースリクエストメッセージをネットワーク機器に送信することを確定してもよく、ＣＳＩの値が閾値より小さいことによってリソースリクエストメッセージをネットワーク機器に送信することを確定してもよく、ＣＳＩの値がある数値の区間にあることによってリソースリクエストメッセージをネットワーク機器に送信することを確定してもよく、ＣＳＩの値が閾値に等しいことによってリソースリクエストメッセージをネットワーク機器に送信することを確定してもよい。
【００７９】
上記の実施例は例示であり、本発明の実施例はこれに限定されない。本発明の実施例に係るＣＳＩの受信方法によれば、ネットワーク機器がＣＳＩトリガー条件メッセージによって端末機器にＣＳＩを送信するトリガー条件を指示し、それによって異なる応用シーンによって端末機器がＣＳＩを送信するトリガー条件を柔軟に確定することができる。
【００８０】
一実施例において、前記ＣＳＩトリガー条件メッセージは、前記端末機器に、第１のＣＳＩと第２のＣＳＩの差値が第１の閾値を満たすと、前記リソースリクエストメッセージを前記ネットワーク機器に送信するように指示することに用いられ、ここで、前記第１のＣＳＩと前記第２のＣＳＩが異なる信号のＣＳＩであり、
前記ネットワーク機器が前記端末機器から前記伝送リソースによって送信された前記ＣＳＩを受信することは、
前記ネットワーク機器が前記端末機器から前記伝送リソースによって送信された前記第１のＣＳＩ及び前記第２のＣＳＩを受信することを含む。
【００８１】
端末機器は、異なるＣＳＩの差値が閾値を満たすと、リソースリクエストメッセージをネットワーク機器に送信することを確定することができ、例えば、現在の時刻に端末機器が測定した第２のＣＳＩが第１のＣＳＩより大きく、且つ差値が第１の閾値より大きい場合、端末機器は、第１のＣＳＩ及び第２のＣＳＩをレポートすることを確定し、ネットワーク機器は、端末機器からレポートされた第１のＣＳＩ及び第２のＣＳＩによってで端末機器が受けた干渉状況を判断して、直ちに信号の発射方式を調整する。本発明の実施例では、第１のＣＳＩ及び第２のＣＳＩは、同一のセルの異なるタイプの信号のＣＳＩでもよいが、異なる出所からのＣＳＩ、例えば、該端末機器が位置するセルの信号のＣＳＩ及び該端末機器が位置するセルに隣接するセルの信号のＣＳＩでもよい。
【００８２】
上記の実施例は例示であり、本発明の実施例はこれに限定されない。本発明の実施例に係るＣＳＩの受信方法によれば、ネットワーク機器が端末機器に、第１のＣＳＩと第２のＣＳＩの差値が閾値を満たすと、ネットワーク機器に伝送リソースを申請するように指示し、それによってＣＳＩの送信に占められる伝送リソースを減らし、またＣＳＩ送信の柔軟性を高めることができる。
【００８３】
一実施例において、前記ＣＳＩトリガー条件メッセージは、前記端末機器に、第１のＣＳＩと第２のＣＳＩの差値が第１の閾値を満たしたこと及び前記第１のＣＳＩや前記第２のＣＳＩが第２の閾値を満たすと、前記リソースリクエストメッセージを前記ネットワーク機器に送信するように指示することに用いられ、ここで、前記第１のＣＳＩと前記第２のＣＳＩが異なる信号のＣＳＩである。
【００８４】
端末機器は、第２のＣＳＩと第１のＣＳＩの差値が第１の閾値より小さく、且つ第２のＣＳＩが第２の閾値より小さいことによってリソースリクエストメッセージをネットワーク機器に送信することを確定して、端末機器に第１のＣＳＩ及び第２のＣＳＩの送信に用いられる伝送リソースを割り当てるようにネットワーク機器にリクエストすることもでき、ここで、第１のＣＳＩが該端末機器の隣接セルの信号のＣＳＩであり、第２のＣＳＩが該端末機器の位置するセルの信号のＣＳＩであり、第１の閾値及び第２の閾値が同じでもよいが、異なってもよい。ネットワーク機器は、第２のＣＳＩと第１のＣＳＩの差値が第１の閾値より小さいことによって隣接セルの干渉信号の強度と端末機器の位置するセルの信号の強度が非常に近いことを確定し、そして第２のＣＳＩが第２の閾値より小さいことによって端末機器の現在位置するセルのチャンネル状態が悪いことを確定することができ、それによって干渉情況によって信号の発射方式を調整することができる。本発明の実施例では、第１のＣＳＩ及び第２のＣＳＩも同一のセルの異なるタイプの信号のＣＳＩでもよい。
【００８５】
上記の実施例は例示であり、本発明の実施例はこれに限定されない。本発明の実施例に係るＣＳＩの受信方法によれば、ネットワーク機器が端末機器に、第１のＣＳＩと第２のＣＳＩの差値が閾値を満たしたこと及び第１のＣＳＩや第２のＣＳＩが第２の閾値を満たすと、ネットワーク機器に伝送リソースを申請するように指示し、それによってＣＳＩの送信に占められる伝送リソースを減らし、またＣＳＩ送信の柔軟性を高めることができる。
【００８６】
一実施例において、前記リソースリクエストメッセージに前記ＣＳＩの数及び各前記ＣＳＩのサイズを含み、前記方法３００にさらに、前記ネットワーク機器が前記ＣＳＩの数及び各前記ＣＳＩのサイズによって前記伝送リソースを配置することを含む。
【００８７】
端末機器は、ネットワーク機器にＣＳＩの数及び各ＣＳＩのサイズの情報を送信することができ、該情報は、リソースリクエストメッセージにキャリーされたり、単独で送信されたりすることができる。ネットワーク機器は、送信待ちのＣＳＩの数及び各ＣＳＩのサイズによって端末機器に対応する伝送リソースを配置することができる。それによって端末機器が適切な伝送リソースによってＣＳＩを送信して、伝送リソースの浪費を避けることができる。
【００８８】
上記の実施例は、主に端末機器とネットワーク機器の間の交互の角度から本発明の実施例の実施形態を説明した。理解できるのは、各機器が上記の機能を実現するために、各機能を実行するハードウェア構造及び／又はソフトウェアモジュールを含むことである。当業者であれば理解できるように、本明細書に開示されている実施例と関係させて説明されている各例示的なユニット及びアルゴリズムステップを参照し、本発明は、ハードウェア又はハードウェアとコンピュータソフトウェアとの組み合わせによって実現することができる。ある機能をハードウェアの形式で実施するかそれともコンピュータソフトウェアを用いてハードウェアを駆動する形式で実施するかについては、技術的解決手段の特定応用及び設計上の制限となる条件に依存する。当業者は、各特定応用に応じて異なる方法を用いて、説明されている機能を実現することができるが、このような実現は本発明の範囲を超えていると見なすべきではない。
【００８９】
本発明の実施例は、上記の方法の例示によって端末機器及びネットワーク機器に機能ユニットの区分を行うことができる。例えば、各機能に対応して各機能ユニットを区分することができるが、２つ又は２つの以上の機能を１つの処理ユニットに集積化することもできる。上記集積化されたユニットは、ハードウェアの形式で実現することができるが、ソフトウェア機能ユニットで実現することもできる。なお、本発明の実施例の中で、ユニットの区分が例示的なもので、論理的機能の区分にすぎず、実際に実現する時に他の区分方式を用いてもよい。
【００９０】
集積化されたユニットを利用する場合、図４Ａに上記実施例に係る端末機器の可能な構造説明図を示す。端末機器４００は、処理ユニット４０２と、通信ユニット４０３とを含む。処理ユニット４０２は、端末機器４００の動作を制御管理することに用いられ、例えば、処理ユニット４０２は、端末機器４００が図２のステップ及び／又は本明細書に述べられた技術のその他のプロセスを実行することをサポートすることに用いられる。通信ユニット４０３は、端末機器４００とネットワーク機器との通信をサポートすることに用いられる。端末機器４００はさらに、端末機器４００のプログラムコード及びデータを記憶する記憶ユニット４０１を含むことができる。
【００９１】
例えば、処理ユニット４０２は、チャンネル状態情報ＣＳＩがＣＳＩトリガー条件を満たすと、通信ユニット４０３を経由してネットワーク機器に前記ＣＳＩの伝送に用いられる伝送リソースを割り当てるようにリクエストするリソースリクエストメッセージを前記ネットワーク機器に送信すること、通信ユニット４０３を経由して前記ネットワーク機器から前記伝送リソースの配置に用いられるリソース配置メッセージを受信すること、及び前記伝送リソースによって通信ユニット４０３を経由して前記ネットワーク機器に前記ＣＳＩを送信することに用いられる。
【００９２】
処理ユニット４０２は、プロセッサやコントローラでもよいが、例えば中央演算処理装置（Ｃｅｎｔｒａｌ  Ｐｒｏｃｅｓｓｉｎｇ  Ｕｎｉｔ、ＣＰＵ）、汎用プロセッサ、デジタル・シグナル・プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールド・プログラマブル・ゲート・アレイ（Ｆｉｅｌｄ  Ｐｒｏｇｒａｍｍａｂｌｅ  Ｇａｔｅ  Ａｒｒａｙ、ＦＰＧＡ）やその他のプログラミング可能な論理素子、トランジスター論理素子、ハードウェア部品又はその他の任意の組合せでもよい。それは、本発明の開示内容を結びつけて述べられた各例示的な論理ブロック、モジュール及び電気回路を実現したり実行したりすることができる。前記プロセッサは、計算機能を実現する組合せでもよいが、例えば１つ又は多数のマイクロ・プロセッサの組合せ、ＤＳＰとマイクロ・プロセッサの組合せなどを含む。通信ユニット４０３は、送受信器、送受信電気回路などでもよい。記憶ユニット４０１は、メモリでもよい。
【００９３】
処理ユニット４０２がプロセッサで、通信ユニット４０３が送受信器で、記憶ユニット４０１がメモリの場合、本発明の実施例に係る端末機器は、図４Ｂに示されている端末機器でもよい。
【００９４】
図４Ｂに示すように、該端末機器４１０は、プロセッサ４１２と、送受信器４１３と、メモリ４１１とを含む。一実施例において、端末機器４１０はさらに、バス４１４を含むことができる。ここで、送受信器４１３、プロセッサ４１２及びメモリ４１１は、バス４１４を経由して互いに接続することができる。バス４１４は、ペリフェラル・コンポーネント・インターコネクト（Ｐｅｒｉｐｈｅｒａｌ  Ｃｏｍｐｏｎｅｎｔ  Ｉｎｔｅｒｃｏｎｎｅｃｔ、ＰＣＩと略称）のバスやエクステンド・インダストリ・スタンダード・アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡと略称）のバスなどでもよい。バス４１４は、アドレスバス、データバス、コントロールバスなどに分けられる。表示の便宜上、図４Ｂには１本の太い線で示めされているが、決して１本のバスや１種類のバスだけがあることを示していないのである。
【００９５】
当業者であれば明確に理解できるであろうが、説明の便宜上及び簡潔化のために、上記説明した装置及びユニットの具体的な動作過程は、前述した方法例の対応する過程を参照することができるため、ここでは説明を省略する。
【００９６】
そのため、本発明の実施例にて提供される端末機器は、ＣＳＩがＣＳＩを送信するトリガー条件を満たすか否かによってＣＳＩを送信するか否かを確定し、そしてＣＳＩの送信を確定した後にネットワーク機器にＣＳＩを送信する伝送リソースを申請し、それによってＣＳＩの送信に占められる伝送リソースを減らすことができる。
【００９７】
集積化されたユニットを利用する場合、図５Ａに上記実施例に係るネットワーク機器の可能な構造説明図を示す。ネットワーク機器５００は、処理ユニット５０２と、通信ユニット５０３とを含む。処理ユニット５０２は、ネットワーク機器５００の動作を制御管理することに用いられ、例えば、処理ユニット５０２は、ネットワーク機器５００が図３のステップ及び／又は本明細書に述べられた技術のその他のプロセスを実行することをサポートすることに用いられる。通信ユニット５０３は、ネットワーク機器５００と端末機器との通信をサポートすることに用いられる。ネットワーク機器５００はさらに、ネットワーク機器５００のプログラムコード及びデータを記憶する記憶ユニット５０１を含むことができる。
【００９８】
例えば、処理ユニット５０２は、通信ユニット５０３を経由して端末機器から、前記ネットワーク機器にチャンネル状態情報ＣＳＩの伝送に用いられる伝送リソースを割り当てるようにリクエストするリソースリクエストメッセージを受信すること、通信ユニット５０３を経由して前記端末機器に前記伝送リソースの配置に用いられるリソース配置メッセージを送信すること、及び通信ユニット５０３を経由して前記端末機器から前記伝送リソースによって送信された前記ＣＳＩを受信することに用いられる。
【００９９】
処理ユニット５０２は、プロセッサやコントローラでもよいが、例えばＣＰＵ、汎用プロセッサ、ＤＳＰ、ＡＳＩＣ、ＦＰＧＡやその他のプログラミング可能な論理素子、トランジスター論理素子、ハードウェア部品又はその他の任意の組合せでもよい。それは、本発明の開示内容を結びつけて述べられた各例示的な論理ブロック、モジュール及び電気回路を実現したり実行したりすることができる。前記プロセッサは、計算機能を実現する組合せでもよいが、例えば１つ又は多数のマイクロ・プロセッサの組合せ、ＤＳＰとマイクロ・プロセッサの組合せなどを含む。通信ユニット５０３は、送受信器、送受信電気回路などでもよい。記憶ユニット５０１は、メモリでもよい。
【０１００】
処理ユニット５０２がプロセッサで、通信ユニット５０３が送受信器で、記憶ユニット５０１がメモリの場合、本発明の実施例に係るネットワーク機器は、図５Ｂに示されているネットワーク機器でもよい。
【０１０１】
図５Ｂに示すように、該ネットワーク機器５１０は、プロセッサ５１２と、送受信器５１３と、メモリ５１１とを含む。一実施例において、ネットワーク機器５１０はさらに、バス５１４を含むことができる。ここで、送受信器５１３、プロセッサ５１２及びメモリ５１１は、バス５１４を経由して互いに接続することができる。バス５１４は、ＰＣＩバスやＥＩＳＡバスなどでもよい。バス５１４は、アドレスバス、データバス、コントロールバスなどに分けられる。表示の便宜上、図５Ｂには１本の太い線で示めされているが、決して１本のバスや１種類のバスだけがあることを示していないのである。
【０１０２】
当業者であれば明確に理解できるであろうが、説明の便宜上及び簡潔化のために、上記説明した装置及びユニットの具体的な動作過程は、前述した方法例の対応する過程を参照することができるため、ここでは説明を省略する。
【０１０３】
そのため、本発明の実施例にて提供されるネットワーク機器は、端末機器からのリソースリクエストメッセージによって端末機器にＣＳＩの伝送に用いられる伝送リソースを配置し、ここで、端末機器は、ＣＳＩがＣＳＩを送信するトリガー条件を満たしたによってネットワーク機器にＣＳＩを送信する伝送リソースを申請し、それによってＣＳＩの送信に占められる伝送リソースを減らすことができる。
【０１０４】
プリセットされた情報やネットワーク機器から送信された指示情報によって少なくとも２種類のサブキャリア間隔を確定し、そしてこの少なくとも２種類のサブキャリア間隔に基づいたＰＤＣＣＨを受信し、それによってどのようにマルチサブキャリア間隔通信システムに接続して駐在するかという問題を解決する。
【０１０５】
本発明の実施例では、各プロセスの順番は実行順序の前後を意味していないが、各プロセスの実行順序はその機能及び内在の論理によって確定されるべきで、本発明の実施例のプロセスにいかなる限定を構成していないのである。
【０１０６】
また、本明細書の用語の「及び／又は」は、関連対象の関連関係だけを述べるが、３種類の関係があることを示している。例えば、Ａ及び／又はＢは、Ａが単独で存在する場合、ＡとＢが同時に存在する場合、Ｂが単独で存在する場合という３つの場合を示しているのである。また、本明細書では、「／」は普通に前後の関連対象が「又は」という関係にあることを示している。
【０１０７】
本発明の実施例の開示内容に述べられた方法やアルゴリズムを結びつけるステップは、ハードウェアの形式で実現できるが、プロセッサによりソフトウェア指令を実行することによって実現できる。ソフトウェア指令は、対応するソフトウェアモジュールで構成されてもよく、ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリーメモリ（Ｒｅａｄ  Ｏｎｌｙ  Ｍｅｍｏｒｙ、ＲＯＭ）、消去可能プログラマブルＲＯＭ（Ｅｒａｓａｂｌｅ  Ｐｒｏｇｒａｍｍａｂｌｅ  ＲＯＭ、ＥＰＲＯＭ）、電気的消去可能プログラマブルＲＯＭ（Ｅｌｅｃｔｒｉｃａｌｌｙ  ＥＰＲＯＭ、ＥＥＰＲＯＭ）、レジスター、ハードディスク、ポータブルハードディスク、リードオンリー光ディスク（ＣＤ−ＲＯＭ）又は当分野で熟知しているいかなるその他の形式の記憶媒体に記憶されてもよい。例示的な記憶媒体をプロセッサにカップリングし、それによってプロセッサが該記憶媒体から情報を読み取り、且つ該記憶媒体に情報を書き込むことができる。もちろん、記憶媒体は、プロセッサの構成部分でもよい。プロセッサ及び記憶媒体は、ＡＳＩＣの中に位置することができる。また、該ＡＳＩＣは、端末機器やネットワーク機器の中に位置することができる。もちろん、プロセッサ及び記憶媒体は、分割モジュールとして端末機器やネットワーク機器の中に存在することもできる。
【０１０８】
当業者であれば理解できるように、上記の１つ又は多数の例示の中で、本発明に述べられた機能は、ハードウェア、ソフトウェア、ファーム・ウェア又はそれらの任意の組合せで実現することができる。ソフトウェアで実現する場合、これらの機能をコンピュータの読取可能媒体に記憶するか又はコンピュータの読取可能媒体の１つ又は多数の指令やコードとして伝送することができる。コンピュータの読取可能媒体は、コンピュータの記憶媒体及び通信媒体を含み、ここで、通信媒体は、ある場所から別の場所にコンピュータのプログラムを伝送するいかなる媒体を含む。記憶媒体は、汎用や専用コンピュータでアクセス可能ないかなる媒体でもよい。
【０１０９】
以上に記載された具体的な実施形態は、本発明の目的、技術的解決手段及び有益な効果をさらに詳しく説明したものと理解すべきものであって、以上は本発明の具体的な実施形態にすぎず、本発明の保護範囲を限定するものではなく、本発明の技術的解決手段に基づき行われるいかなる修正、同等置換、改善などは全て本発明の保護範囲に含まれるべきである。
【図１】
0006857718.tif 000002
【図２】
0006857718.tif 000003
【図３】
0006857718.tif 000004
【図４Ａ】
0006857718.tif 000005
【図４Ｂ】
0006857718.tif 000006
【図５Ａ】
0006857718.tif 000007
【図５Ｂ】
0006857718.tif 000008